(57)【要約】【課題】安定した感度差補正機能を提供する。【解決手段】複数の第１の集音手段と、前記第１の集音手段の感度差を補正するように調整された第１の感度補正手段と、前記複数の第１の集音手段からの音声信号のレベル差を検出する第１のレベル差検出手段と、外部に接続された複数の第２の集音手段の感度差を補正する第２の感度補正手段と、前記複数の第２の集音手段からの音声信号のレベル差を検出する第２のレベル差検出手段と、前記第１のレベル差検出手段のレベル差が閾値以下の場合に、前記第２のレベル差検出手段の出力するレベル差がゼロに近づくように、前記第２の感度補正手段の補正値を制御する制御手段とを有する。【選択図】図１
2016009951.tif 000002
【特許請求の範囲】
【請求項１】
複数の第１の集音手段と、
前記第１の集音手段の感度差をあらかじめ補正するように調整された第１の感度補正手段と、
前記複数の第１の集音手段からの音声信号のレベル差を検出する第１のレベル差検出手段と、
装置の外部に接続された複数の第２の集音手段と、前記複数の第２の集音手段の感度差を補正する第２の感度補正手段と、
前記複数の第２の集音手段からの音声信号のレベル差を検出する第２のレベル差検出手段と、
前記第１のレベル差検出手段のレベル差が閾値以下の場合に、前記第２のレベル差検出手段の出力するレベル差がゼロに近づくように、前記第２の感度補正手段の補正値を制御する制御手段とを有することを特徴とする音声処理装置。
【請求項２】
前記閾値が、前記第１の集音手段の感度差調整の許容値より大きいことを特徴とする請求項１に記載の音声処理装置。
【請求項３】
複数の第１の集音手段と、
前記第１の集音手段の感度差をあらかじめ補正するように調整された第１の感度補正手段と、
前記複数の第１の集音手段が風を受けていることを検出する風検出手段と、
装置の外部に接続された複数の第２の集音手段と、前記複数の第２の集音手段の感度差を補正する第２の感度補正手段と、
前記複数の第２の集音手段からの音声信号のレベル差を検出する第２のレベル差検出手段と、
前記風検出手段で検出された風の強さが閾値以下の場合に、前記第２のレベル差検出手段の出力するレベル差がゼロに近づくように、前記第２の感度補正手段の補正値を制御する制御手段とを有することを特徴とする音声処理装置。
【発明の詳細な説明】
【技術分野】
【０００１】
本発明は、音声処理装置に関する。
【背景技術】
【０００２】
従来、複数の音声取込部の感度差を自動で補正する音声処理装置が知られている（特許文献１参照）。図５は従来の音声収録装置の構成を示す図である。図５において５０１、５０２は音声収録装置の外部に取り付けられた、無指向マイクとマイクアンプ等で構成された音声取込部であり、５０３、５０４に音声信号を出力する。５０１、５０２音声取込部の無指向マイクは近接しており、周囲の音声は同じ音圧レベルで５０１、５０２音声取込部の無指向マイクに到達するが、製造ばらつき等によるマイク感度差のため５０３、５０４の音声信号の振幅レベルは異なった値となる。５０５、５０６ゲイン可変部は前記５０３、５０４音声信号の振幅レベル差を５１４、５１５、ゲイン情報により補正し５０７、５０８へ音声信号を出力する。本音声収録装置は５０７、５０８の音声信号をそのままか、または加工して収録する。５０７、５０８音声信号の振幅レベルを５０９、５１０で測定し、５１１、５１２の振幅レベルが同じになるように、５１３ゲイン判定部で５１４、５１５のゲイン情報を決定して制御を行う。
【０００３】
しかしながら、風などが５０１、５０２音声取込部のマイクに当たった場合には、空気の大きな圧力変化により、５０３、５０４の音声レベルが大きく乱れてしまう。その状況で上記のようにゲイン情報を決定して制御すると正しい制御ができない。そこで、風を検出して、周囲に風が吹いていない場合に、５１１、５１２の振幅レベルが同じになるように、５１３ゲイン判定部で５１４、５１５のゲイン情報を決定して制御を行う。５２２、５２３の音声信号から、周囲に風が吹いていると判断した場合には、５１４、５１５のゲイン情報を変更しない。
【０００４】
５１４は５０７、５０８の音声信号の差分を演算する部分であり、５１７は風の帯域（たとえば１ＫＨｚ以下）を通過させるハイパスフィルタ（ＨＰＦ）である。５１８には、位相の異なった低域成分が出力される。５０１、５０２音声取込部からの音声は、無指向マイクが近接していることから、低域（たとえば１ＫＨｚ以下）ではほぼ同位相になる。しかし風が当たると、空気の大きな圧力変化により位相の異なった低域が入力されるため、５１８に位相の異なった低域成分が出力される。５１９は５１８位相の異なった低域成分の振幅レベルを測定する振幅レベル測定部であり、５２０にレベル３を出力する。すなわちレベル３が大きいと風が吹いていると判断できる。
【０００５】
５１３ゲイン判定部の動作を図６のフローチャートを元に詳細に説明する。６０１より開始し、６０２で５１１の音声信号レベル１と５１２の音声信号レベル２の差分レベル１を求め、５０３で前記差分レベル１の絶対値が閾値ｔｈ１を超えているかを判定する。ｔｈ１は音声収録装置の必要仕様により設定を行う。たとえば、感度差を０．５ｄＢまで許容する場合はｔｈ１＝０．５ｄＢとする。前記差分の絶対値が閾値ｔｈ１以下の場合は、５１４、５１５ゲイン情報を変更しない。前記差分の絶対値が閾値ｔｈ１より大きい場合は、さらに処理を進める。
【０００６】
６０４で位相の異なった低域成分の振幅レベル３が閾値ｔｈ２を超えている場合は、風が吹いている可能性が高いため、５１４、５１５ゲイン情報を変更しないで、閾値ｔｈ２以下の場合は、風による影響を受けていないと判断し５０６でレベル差１が無くなうように５１４、５１５ゲイン情報を決定する。閾値ｔｈ２は筐体の構造等により最適値が変わってくるので音声収録装置で調整を行う
【先行技術文献】
【特許文献】
【０００７】
【特許文献１】特開２００５−１３６６２８号公報
【発明の概要】
【発明が解決しようとする課題】
【０００８】
しかしながら上記従来例では、複数の音声取込部の感度差が大きい場合、５１８で同位相の低域であるあるにもかかわらず、感度差が差分として出力されるため、無風であるにもかかわらず風が吹いていると誤検出されてしまい、感度差を補正できなくなるという課題があった。
【０００９】
本発明は、安定した感度差補正機能を提供することを目的とする。
【課題を解決するための手段】
【００１０】
本発明に係る音声処理装置の構成は、複数の第１の集音手段と、前記第１の集音手段の感度差をあらかじめ補正するように調整された第１の感度補正手段と、前記複数の第１の集音手段からの音声信号のレベル差を検出する第１のレベル差検出手段と、装置の外部に接続された複数の第２の集音手段と、前記複数の第２の集音手段の感度差を補正する第２の感度補正手段と、前記複数の第２の集音手段からの音声信号のレベル差を検出する第２のレベル差検出手段と、前記第１のレベル差検出手段のレベル差が閾値以下の場合に、前記第２のレベル差検出手段の出力するレベル差がゼロに近づくように、前記第２の感度補正手段の補正値を制御する制御手段とを有することを特徴とする。
【発明の効果】
【００１１】
本発明によれば、複数の音声取込部の感度差が大きい場合においても、風の検出をすでに感度差を補正された音声取込部からの音声信号で行うため、安定した感度差補正機能を提供することができる。
【図面の簡単な説明】
【００１２】
【図１】音声処理装置のブロック図である。
【図２】ゲイン判定部の処理を示すフローチャートである。
【図３】音声処理装置のブロック図である。
【図４】ゲイン判定部の処理を示すフローチャートである。
【図５】従来技術を示すブロック図である。
【図６】従来技術を示す図である。
【発明を実施するための形態】
【００１３】
以下、図面を参照しながら本発明の好適な実施の形態を説明する。
【実施例１】
【００１４】
図１は本発明の音声収録装置の構成を示す図である。以下図１をもとに本実施例の構成を説明する。
【００１５】
図１において１０１、１０２は音声収録装置の外部に取り付けられた、無指向マイクとマイクアンプ等で構成された音声取込部であり、１０３、１０４に音声信号を出力する。１０１、１０２音声取込部の無指向マイクは近接しており、周囲の音声は同じ音圧レベルで１０１、１０２音声取込部の無指向マイクに到達するが、製造ばらつき等によるマイク感度差のため１０３、１０４の音声信号の振幅レベルは異なった値となる。１０５、１０６ゲイン可変部は前記１０３、１０４音声信号の振幅レベル差を１１４、１１５、ゲイン情報により補正し１０７、１０８へ音声信号を出力する。本音声収録装置は１０７、１０８の音声信号をそのままか、または加工して収録する。
【００１６】
１１６、１１７は音声収録装置の内部に取り付けられた、無指向マイクとマイクアンプ等で構成された音声取込部であり１１８、１１９に音声信号を出力する。１１６、１１７音声取込部の無指向マイクは近接しており、周囲の音声は同じ音圧レベルで１１６、１１７音声取込部の無指向マイクに到達するが、製造ばらつき等によるマイク感度差のため１１８、１１９の音声信号の振幅レベルは異なった値となる。１２０、１２１ゲイン可変部は前記１１８、１１９音声信号の振幅レベル差を１２５、１２６、ゲイン情報により補正し１２２、１２３へ音声信号を出力する。
【００１７】
１１６、１１７は音声収録装置の内部に設置されるため、本装置製造時または、調整時に１１６、１１７音声取込部の無指向マイク感度差を知ることが可能である。本装置製造時または、調整時に判明した、１１６、１１７音声取込部の無指向マイク感度差は、１２４ゲイン補正値記憶部に記憶しておき、１２５、１２６ゲイン情報に反映させることで、マイク感度差の補正をおこなう。従って１１６、１１７音声取込部の周囲音声は、１２２、１２３で同一の音声信号レベルとなる。
【００１８】
１０１、１０２音声取込部は音声収録装置の外部に取り付けられるため、どのような感度差があるかをあらかじめ知ることができない。そこで、１０７、１０８音声信号の振幅レベルを１０９、１１０で測定し、１１１、１１２の振幅レベルが同じになるように、１１３ゲイン判定部で１１４、１１５のゲイン情報を決定して制御を行う。しかしながら、風などが１０１、１０２音声取込部のマイクに当たった場合には、空気の大きな圧力変化により、１０３、１０４の音声レベルが大きく乱れてしまう。その状況で上記のようにゲイン情報を決定して制御すると、１０１、１０２音声取込部の音量が一定にならないため、正しい制御ができない。
【００１９】
そこで、すでに感度差を調整した、１２２、１２３の音声信号の振幅レベルの状況を見ながら制御を行う。１２２、１２３の音声信号の振幅レベルが同一の場合は、周囲に風が吹いていないと判断し、１１１、１１２の振幅レベルが同じになるように、１１３ゲイン判定部で１１４、１１５のゲイン情報を決定して制御を行う。１２２、１２３の音声信号の振幅レベルが異なる場合は、周囲に風が吹いていると判断し１１４、１１５のゲイン情報を変化させない。
【００２０】
１１３ゲイン判定部の動作を図２のフローチャートを元に詳細に説明する。２０１より開始し、２０２で１１１の音声信号レベル１と１１２の音声信号レベル２の差分レベル１を求め、２０３で前記差分レベル１の絶対値が閾値ｔｈ１を超えているかを判定する。ｔｈ１は音声収録装置の必要仕様により設定を行う。たとえば、感度差を０．５ｄＢまで許容する場合はｔｈ１＝０．５ｄＢとする。前記差分の絶対値が閾値ｔｈ１以下の場合は、１１４、１１５ゲイン情報を変更しない。前記差分の絶対値が閾値ｔｈ１より大きい場合は、さらに処理を進める。
【００２１】
２０４で１２９の音声信号レベル３と１３０の音声信号レベル４の差分レベル差２を求め、２０５で前記差分レベル差２の絶対値が閾値ｔｈ２を超えているかを判定する。１１６、１１７の音声取込部の感度差は、すでに仕様に応じて調整されている。その仕様をＡｄＢ以下とすると、風が無く通常の音声であれば、レベル差２の絶対値はＡｄＢ以下となる。従って、２０５の閾値ｔｈ２をＡｄＢ以下とすることで、レベル差２の絶対値が閾値ｔｈ２を超えている場合は、風が吹いている可能性が高いため、１１４、１１５ゲイン情報を変更しないで、レベル差２の絶対値が閾値ｔｈ２以下の場合は、風による影響を受けていないと判断し、２０６でレベル差１が無くなうように１１４、１１５ゲイン情報を決定する。
【００２２】
以上のように音声収録装置を構成する。
【実施例２】
【００２３】
図３は本発明の音声収録装置の構成を示す図である。以下図３をもとに本実施例の構成を説明する。
【００２４】
図３において３０１、３０２は音声収録装置の外部に取り付けられた、無指向マイクとマイクアンプ等で構成された音声取込部であり、３０３、３０４に音声信号を出力する。３０１、３０２音声取込部の無指向マイクは近接しており、周囲の音声は同じ音圧レベルで３０１、３０２音声取込部の無指向マイクに到達するが、製造ばらつき等によるマイク感度差のため３０３、３０４の音声信号の振幅レベルは異なった値となる。３０５、３０６ゲイン可変部は前記３０３、３０４音声信号の振幅レベル差を３１４、３１５、ゲイン情報により補正し３０７、３０８へ音声信号を出力する。本音声収録装置は３０７、３０８の音声信号をそのままか、または加工して収録する。
【００２５】
３１６、３１７は音声収録装置の内部に取り付けられた、無指向マイクとマイクアンプ等で構成された音声取込部であり３１８、３１９に音声信号を出力する。３１６、３１７音声取込部の無指向マイクは近接しており、周囲の音声は同じ音圧レベルで３１６、３１７音声取込部の無指向マイクに到達するが、製造ばらつき等によるマイク感度差のため３１８、３１９の音声信号の振幅レベルは異なった値となる。３２０、３２１ゲイン可変部は前記３１８、３１９音声信号の振幅レベル差を３２５、３２６、ゲイン情報により補正し３２２、３２３へ音声信号を出力する。
【００２６】
３１６、３１７は音声収録装置の内部に設置されるため、本装置製造時または、調整時に３１６、３１７音声取込部の無指向マイク感度差を知ることが可能である。本装置製造時または、調整時に判明した、３１６、３１７音声取込部の無指向マイク感度差は、３２４ゲイン補正値記憶部に記憶しておき、３２５、３２６ゲイン情報に反映させることで、マイク感度差の補正をおこなう。従って３１６、３１７音声取込部の周囲音声は、３２２、３２３で同一の音声信号レベルとなる。
【００２７】
３０１、３０２音声取込部は音声収録装置の外部に取り付けられるため、どのような感度差があるかをあらかじめ知ることができない。そこで、３０７、３０８音声信号の振幅レベルを３０９、３１０で測定し、３１１、３１２の振幅レベルが同じになるように、３１３ゲイン判定部で３１４、３１５のゲイン情報を決定して制御を行う。しかしながら、風などが３０１、３０２音声取込部のマイクに当たった場合には、空気の大きな圧力変化により、３０３、３０４の音声レベルが大きく乱れてしまう。その状況で上記のようにゲイン情報を決定して制御すると正しい制御ができない。
【００２８】
そこで、すでに感度差を調整した、３２２、３２３の音声信号から風を検出して、周囲に風が吹いていない場合に、３１１、３１２の振幅レベルが同じになるように、３１３ゲイン判定部で３１４、３１５のゲイン情報を決定して制御を行う。３２２、３２３の音声信号から、周囲に風が吹いていると判断した場合には、３１４、３１５のゲイン情報を変更しない。
【００２９】
３２７は３２２、３２３の音声信号の差分を演算する部分であり、３２９は風の帯域（たとえば１ＫＨｚ以下）を通過させるハイパスフィルタ（ＨＰＦ）である。３３０には、位相の異なった低域成分が出力される。３１６、３１７音声取込部からの音声は、無指向マイクが近接していることから、低域（たとえば１ＫＨｚ以下）ではほぼ同位相になる。しかし風が当たると、空気の大きな圧力変化により位相の異なった低域が入力されるため、３３０に位相の異なった低域成分が出力される。３３１は３３０位相の異なった低域成分の振幅レベルを測定する振幅レベル測定部であり、３３２にレベル３を出力する。すなわちレベル３が大きいと風が吹いていると判断できる。
【００３０】
３１３ゲイン判定部の動作を図４のフローチャートを元に詳細に説明する。３０１より開始し、３０２で３１１の音声信号レベル１と３１２の音声信号レベル２の差分レベル１を求め、３０３で前記差分レベル１の絶対値が閾値ｔｈ１を超えているかを判定する。ｔｈ１は音声収録装置の必要仕様により設定を行う。たとえば、感度差を０．５ｄＢまで許容する場合はｔｈ１＝０．５ｄＢとする。前記差分の絶対値が閾値ｔｈ１以下の場合は、３１４、３１５ゲイン情報を変更しない。前記差分の絶対値が閾値ｔｈ１より大きい場合は、さらに処理を進める。
【００３１】
４０４で位相の異なった低域成分の振幅レベル３が閾値ｔｈ２を超えている場合は、風が吹いている可能性が高いため、３１４、３１５ゲイン情報を変更しないで、閾値ｔｈ２以下の場合は、風による影響を受けていないと判断し３０６でレベル差１が無くなうように３１４、３１５ゲイン情報を決定する。閾値ｔｈ２は筐体の構造等により最適値が変わってくるので音声収録装置で調整を行う
以上のように音声収録装置を構成する。
【符号の説明】
【００３２】
１０１，１０２  音声取込部、１０３，１０４  音声信号、
１０５，１０６  ゲイン可変部、１０７，１０８  音声信号
【図１】
2016009951.tif 000003
【図２】
2016009951.tif 000004
【図３】
2016009951.tif 000005
【図４】
2016009951.tif 000006
【図５】
2016009951.tif 000007
【図６】
2016009951.tif 000008